(57)【特許請求の範囲】
【請求項１】
１次側コイルと２次側コイルがモールドされたモールド変圧器であって、
コイル側面部に配され、上記１次側コイルの巻終り端が接続されたコイル側端子と、
上記コイル側面部に配され、コイル側端子との接続がオン状態またはオフ状態とされることにより、上記１次側コイルのタップ電圧を切換えるタップ切換え用端子と、
円形の絶縁材で構成され、該円形の絶縁材の略中央部のみで上記コイル側面部側に固定され、上記コイル側端子と上記タップ切換え用端子とを覆うタップカバーと、
を備えたことを特徴とするモールド変圧器。
【請求項２】
上記タップカバーは、光透過性の絶縁材で構成される請求項１に記載のモールド変圧器。
【請求項３】
上記タップカバーは、上記円形の絶縁材の略中央部に貫通孔を有し、該貫通孔に固定手段が挿入された状態で上記コイル側面部側に固定される構成である請求項１に記載のモールド変圧器。
【請求項４】
モールド変圧器用のタップカバーであって、
円形の絶縁材で構成され、該円形の絶縁材の略中央部のみでモールドコイルのコイル側面部側に固定され、１次側コイルの巻終り端が接続されたコイル側端子と、該１次側コイルのタップ電圧を切換えるタップ切換え用端子とを覆う構成とされていることを特徴とするタップカバー。
【請求項５】
上記円形の絶縁材は、光透過性の絶縁材である請求項４に記載のタップカバー。
【請求項６】
上記円形の絶縁材の略中央部に貫通孔が設けられている請求項４に記載のタップカバー。
【発明の詳細な説明】
【技術分野】
【０００１】
本発明は、モールド変圧器に用いるタップカバーの構成に関する。
【背景技術】
【０００２】
従来、モールド変圧器のタップカバーは、図５に示すように、矩形状の平板が用いられている。図５において、矩形状平板のタップカバー５ａ'は、モールドコイル１ａ'のコイル側面１ａ１'内で、１次側コイルのタップ電圧を切換えるタップ切換え用端子１３ａ１'、１３ａ２'、１３ａ３'、１３ａ４'、１３ａ５'、及びタップ切換え用接続バー１４ａ'を覆い、絶縁材から成る複数のビス１２１ａ'、１５１ａ'によってコイル側面１ａ１'に固定されている。１６'は、各相間で該端子を接続するための相間接続バーである。
【０００３】
また、本発明に関連する従来技術であって、特許文献に記載された技術としては、例えば、特開平５−１３５９６１号公報（特許文献１）や特開２００４−２２１３９４号公報（特許文献２）に記載されたものがある。特開平５−１３５９６１号公報には、１次側コイルの巻終り端が接続されたコイル側端子と、タップ切換え用端子と、該両端子間を接続するタップ切換え用接続バーとがコイル側面内に配された構成が記載され、特開２００４−２２１３９４号公報には、柱上変圧器のタップ切換装置として、タップ切換器を絶縁保護カバーで覆い、絶縁保護カバーを貫通して突出した切換用操作棒を回転させることでタップ端子の接続状態を切り換えるとする技術が記載され、該絶縁保護カバーは、プラスチック製の角筒部４１ａと、その上面に一体に設けられた円板部４１ｂとから成る構成とされている。
【０００４】
【特許文献１】特開平５−１３５９６１号公報
【特許文献２】特開２００４−２２１３９４号公報
【発明の開示】
【発明が解決しようとする課題】
【０００５】
上記従来技術のうち、図５に示す技術は、タップカバー５ａ'が矩形状であるため、取付け上で方向性を有する。このために、取付け作業にあたっては該タップカバー５ａ'が所定の方向となるようにする必要がある。また、該タップカバー５ａ'は、複数のビス１２１ａ'、１５１ａ'によってコイル側面１ａ１'に固定される。このため、該タップカバー５ａ'の平面内の各ビス貫通用の孔を、ビス１２１ａ'、１５１ａ'に位置合わせする必要がある。また、特開平５−１３５９６１号公報にはタップカバーの記載はないし、特開２００４−２２１３９４号公報記載の技術は、柱上変圧器のタップ切換装置の技術であって、絶縁保護カバーは、直方体状のタップ切換器の側面を覆う角筒部と上面を覆う円板部とが一体状にされた複雑な構成となっている。
本発明の課題点は、上記従来技術の状況に鑑み、モールド変圧器において、タップカバーを、簡易かつ取付け作業が容易な構成とすることである。
本発明の目的は、上記課題点を解決し、組立てや各端子の保守・点検が容易なタップカバーにより安全性を確保できるモールド変圧器技術を提供することにある。
【課題を解決するための手段】
【０００６】
上記課題点を解決するために、本発明では、モールド変圧器において、モールドコイルの１次側コイルの巻終り端が接続されたコイル側端子と該１次側コイルのタップ電圧を切換えるタップ切換え用端子とを覆うタップカバーを円形の絶縁材で構成し、該円形のタップカバーをその略中央部のみでモールドコイルのコイル側面部側に固定する構成とする。
【発明の効果】
【０００７】
本発明によれば、モールド変圧器において、タップカバーを簡易な構成にすることができるとともに取付け作業が容易となる。
【発明を実施するための最良の形態】
【０００８】
以下、本発明の実施例につき、図面を用いて説明する。
図１〜図４は、本発明の実施例の説明図である。図１は、本発明の実施例としてのモールド変圧器の構成例図、図２は、図１のモールド変圧器のタップ切換え部の構成図、図３は、図２のタップ切換え部の断面図、図４は、タップ切換え部の他の構成例図である。
【０００９】
図１において、１００はモールド変圧器、１ａはＵ相の１次側モールドコイル、１ｂはＶ相の１次側モールドコイル、１ｃはＷ相の１次側モールドコイル、１ａ１は、Ｕ相の１次側モールドコイル１ａの前面側のコイル側面、１ｂ１は、Ｖ相の１次側モールドコイル１ｂの前面側のコイル側面、１ｃ１は、Ｗ相の１次側モールドコイル１ｃの前面側のコイル側面、２ａはＵ相の２次側モールドコイル、２ｂはＶ相の２次側モールドコイル、２ｃはＷ相の２次側モールドコイル、３は、各モールドコイル内に挿入され、環状の磁気回路を形成するコア、１１ａは、Ｕ相の１次側モールドコイル１ａの巻始め端側の１次側端子部、１１ｂは、Ｖ相の１次側モールドコイル１ｂの巻始め端側の１次側端子部、１１ｃは、Ｗ相の１次側モールドコイル１ｃの巻始め端側の１次側端子部、１２ａは、Ｕ相の１次側モールドコイル１ａの巻線（Ｕ相の１次側コイル）の巻終り端が接続される１次側端子（以下、巻終り端側の１次コイル側端子という）、１２ｂはＶ相の１次側モールドコイル１ｂの巻線（Ｖ相の１次側コイル）の巻終り端側の１次コイル側端子、１２ｃはＷ相の１次側モールドコイル１ｃの巻線（Ｗ相の１次側コイル）の巻終り端側の１次コイル側端子、１２１ａは、１次コイル側端子１２ａに結合された固定手段としてのビス、１２１ｂは、１次コイル側端子１２ｂに結合された固定手段としてのビス、１２１ｃは、１次コイル側端子１２ｃに結合された固定手段としてのビスである。
【００１０】
また、１３ａはＵ相の１次側モールドコイル１ａのタップ切換え用端子、１３ｂはＶ相の１次側モールドコイル１ｂのタップ切換え用端子、１３ｃはＷ相の１次側モールドコイル１ｃのタップ切換え用端子、１４ａは、Ｕ相の１次側コイルの巻終り端側の１次コイル側端子１２ａと、タップ切換え用端子１３ａとの間の接続（タップ接続）を切換えるタップ切換え用接続バー、１４ｂは、Ｖ相の１次側コイルの巻終り端側の１次コイル側端子１２ｂと、タップ切換え用端子１３ｂとの間の接続（タップ接続）を切換えるタップ切換え用接続バー、１４ｃは、Ｗ相の１次側コイルの巻終り端側の１次コイル側端子１２ｃと、タップ切換え用端子１３ｃとの間の接続（タップ接続）を切換えるタップ切換え用接続バー、１５ａは、１次コイル側端子１２ａにモールド樹脂内で接続された端子、１５ｂは、１次コイル側端子１２ｂにモールド樹脂内で接続された端子、１５ｃは、１次コイル側端子１２ｃにモールド樹脂内で接続された端子、１６は、端子１５ａ、１５ｂ、１５ｃ間を接続する相間接続バー、５ａは、Ｕ相のモールドコイルのタップ切換え部に用いるタップカバー、５ｂは、Ｖ相のモールドコイルのタップ切換え部に用いるタップカバー、５ｃは、Ｗ相のモールドコイルのタップ切換え部に用いるタップカバー、２１ａは、Ｕ相の２次側モールドコイル（図示なし）の巻線（Ｕ相の２次側コイル）の巻終り端が接続される２次側端子、２１ｂは、Ｖ相の２次側モールドコイル（図示なし）の巻線（Ｖ相の２次側コイル）の巻終り端が接続される２次側端子、２１ｃは、Ｗ相の２次側モールドコイル（図示なし）の巻線（Ｗ相の２次側コイル）の巻終り端が接続される２次側端子、２０は変圧器金具である。
【００１１】
各相の１次側モールドコイル１ａ、１ｂ、１ｃはそれぞれ、各１次側コイルがモールド樹脂によって筒状体とされ、各相の２次側モールドコイル２ａ、２ｂ、２ｃもそれぞれ、各２次側コイルがモールド樹脂によって筒状体とされている。各相のコイルにおいて、２次側モールドコイル２ａ、２ｂ、２ｃは、１次側モールドコイル１ａ、１ｂ、１ｃの内側に挿入され、該２次側モールドコイル２ａ、２ｂ、２ｃの内側に上記コア３が挿入されている。変圧器金具２０は、コア３の上部を覆うように配され、２次側端子２１ａ、２１ｂ、２１ｃが取付けられている。１次側モールドコイル１ａ、１ｂ、１ｃのそれぞれにおいて、巻始め端側の１次側端子部と、巻終り端側の１次コイル側端子と、タップ切換え用端子は、１つのコイル側面領域内に配される。
【００１２】
タップカバー５ａ、５ｂ、５ｃはそれぞれ、ガラスやプラスチックなど光透過性の絶縁材から成る円形の平板状部材で構成され、その円形平面部は、コイル側端子とタップ切換え用端子とを覆うことができる寸法とされ、該円形平面部の略中央部のみで１次側モールドコイルの前面側のコイル側面側に固定されている。
以下、説明中で用いる図１の構成要素には、図１の場合と同じ符号を付して用いるとする。
【００１３】
図２は、図１のモールド変圧器１００のＵ相のタップ切換え部（Ａ部）の構成図である。
図２において、Ｕ相のタップ切換え部のタップカバー５ａの円形平面部の略中央部には貫通孔が設けられ、該貫通孔に固定手段としてのビス１２１ａが挿入されている。ビス１２１ａは、円形平板状のタップカバー５ａの略中央部の貫通孔に挿入され、先端側が１次コイル側端子１２ａに結合されることで、該タップカバー５ａを、該１次コイル側端子１２ａ側すなわちＵ相の１次側モールドコイル１ａの前面側のコイル側面１ａ１側に固定する。すなわち、タップカバー５ａは、１個のビス１２１ａによって円形平面部の略中央部で１次側モールドコイル１ａ側に固定され、１次コイル側端子１２ａ、タップ切換え用端子１３ａ、タップ切換え用接続バー１４ａなどを覆う。ただし、取扱いの安全上、該ビス１２１ａも絶縁材で構成されるものとする。
【００１４】
Ｖ相、Ｗ相それぞれのタップ切換え部の場合も上記Ｕ相の場合と同様である。すなわち、Ｖ相のタップ切換え部においては、タップカバー５ｂ（図１）の円形平面部の略中央部には貫通孔が設けられ、該貫通孔に固定手段としてのビス１２１ｂ（図１）が挿入されている。ビス１２１ｂは、円形平板状のタップカバー５ｂの略中央部の貫通孔に挿入され、先端側が１次コイル側端子１２ｂ（図１）に結合されることで、該タップカバー５ｂを、該１次コイル側端子１２ｂ側すなわちＶ相の１次側モールドコイル１ｂ（図１）の前面側のコイル側面１ｂ１（図１）側に固定する。すなわち、タップカバー５ｂは、１個のビス１２１ｂによって円形平面部の略中央部で１次側モールドコイル１ｂ側に固定され、１次コイル側端子１２ｂ、タップ切換え用端子１３ｂ、タップ切換え用接続バー１４ｂなどを覆う。同様に、Ｗ相のタップ切換え部においては、タップカバー５ｃ（図１）の円形平面部の略中央部には貫通孔が設けられ、該貫通孔に固定手段としてのビス１２１ｃ（図１）が挿入されている。ビス１２１ｃ（図１）は、円形平板状のタップカバー５ｃの略中央部の貫通孔に挿入され、先端側が１次コイル側端子１２ｃ（図１）に結合されることで、該タップカバー５ｃを、該１次コイル側端子１２ｃ側すなわちＷ相の１次側モールドコイル１ｃ（図１）の前面側のコイル側面１ｃ１（図１）側に固定する。すなわち、タップカバー５ｃは、１個のビス１２１ｃによって円形平面部の略中央部で１次側モールドコイル１ｃ側に固定され、１次コイル側端子１２ｃ、タップ切換え用端子１３ｃ、タップ切換え用接続バー１４ｃなどを覆う。ビス１２１ｂ、１２１ｃも絶縁材で構成されるものとする。
【００１５】
図３は、図２のＵ相のタップ切換え部の断面図である。
図３において、１２２ａは、Ｕ相の１次コイル側端子１２ａを形成するボルト、１２３ａは、モールド樹脂内においてＵ相の１次側コイル（図示なし）の巻始め端が接続され、Ｕ相の１次コイル側端子１２ａを形成する導体部分、１５１ａは、１次コイル側端子１２ａに接続された端子１５ａを構成するボルト、１５２ａは、同じく１次コイル側端子１２ａに接続された端子１５ａを構成しモールド樹脂内に配される導体部分、１３１ａは、タップ切換え用端子１３ａを構成するボルト、１３２ａは、同じくタップ切換え用端子１３ａを構成しモールド樹脂内に配される導体部分である。他の符号は、図１、図２の場合と同様である。タップカバー５ａは、絶縁材から成る１個のビス１２１ａによってボルト１２２ａに固定される。タップ切換え用接続バー１４ａは、１次コイル側端子１２ａ側においては、ボルト１２２ａによって導体部分１２３ａに固定され、タップ切換え用端子側においては、タップ切換え用端子１３ａに接続される場合には、ボルト１３１ａによって導体部分１３２ａに固定される。また、相間接続バー１６は、ボルト１５１ａによって導体部分１５２ａに固定される。Ｖ相、Ｗ相のタップ切換え部についても、上記Ｕ相の場合と同様である。
【００１６】
図４は、本発明のモールド変圧器におけるタップ切換え部の他の構成例図である。本例は、タップカバーを、光透過性の絶縁材から成り、円形平面部を底部に有する凹状体とした場合である。
５０ａはタップカバー、５０１ａは、タップカバー５０ａの底部の円形平面部、５０２ａは、タップカバー５０ａの外周側面部である。他の符号は、図３の場合と同様である。
【００１７】
図１〜図４で説明した上記実施例によれば、モールド変圧器１００において、タップカバーを簡易な構成にすることができるとともに、その円形平面部の略中央部のみで１次側モールドコイル側に固定されるため、タップカバー取付け上の方向性がなくなり、取付け作業が容易となる。また、該タップカバーを光透過性の材料で構成しているため、内部の状態を透かして見ることができ、使い勝手性も向上する。
【００１８】
なお、上記実施例では、固定手段としてビスを用いる構成としたが、本発明はこれに限定されず、他のものを用いてもよい。
【図面の簡単な説明】
【００１９】
【図１】本発明の実施例としてのモールド変圧器の構成例図である。
【図２】図１のモールド変圧器のタップ切換え部の構成図である。
【図３】図２のタップ切換え部の断面図である。
【図４】モールド変圧器のタップ切換え部の他の構成例図である。
【図５】従来技術としてのモールド変圧器のタップ切換え部の説明図である。
【符号の説明】
【００２０】
１ａ、１ｂ、１ｃ…１次側モールドコイル、
１ａ１、１ｂ１、１ｃ１…コイル側面、
２ａ、２ｂ、２ｃ…２次側モールドコイル、
３…コア、
５ａ、５ｂ、５ｃ、５０ａ…タップカバー、
１２ａ、１２ｂ、１２ｃ…巻終り端側の１次コイル側端子、
１２１ａ、１２１ｂ、１２１ｃ…ビス、
１３ａ、１３ｂ、１３ｃ…タップ切換え用端子、
１４ａ、１４ｂ、１４ｃ…タップ切換え用接続バー、
１５ａ、１５ｂ、１５ｃ…端子、
１６…相間接続バー、
２０…変圧器金具、
２１ａ、２１ｂ、２１ｃ…２次側端子、
１００…モールド変圧器。
【図１】
0004611869.tif 000002
【図２】
0004611869.tif 000003
【図３】
0004611869.tif 000004
【図４】
0004611869.tif 000005
【図５】
0004611869.tif 000006